(57)【要約】【課題】角型電池と被接合体との間に容易に治具を挿入すること。【解決手段】電池モジュールは、電池ホルダ２０に保持された角型電池３１と伝熱プレート４１が交互に並設されている。角型電池３１と伝熱プレート４１は、接着シート５１によって接着されている。接着シート５１は、第１面５３と、第１面５３と対向する第２面５４を有している。また、接着シート５１は、第１面５３と第２面５４との対向方向に延在する第３面５５を有している。接着シート５１の長手方向に位置する２つの第３面５５には、切欠部５２が設けられている。切欠部５２は、第１面５３と第３面５５との間に設けられている。【選択図】図４
2015162390.tif 000002
【特許請求の範囲】
【請求項１】
角型電池と、
前記角型電池と接着される被接合体と、
前記角型電池と前記被接合体とを接着する接着シートとを備えた電池モジュールであって、
前記接着シートは、前記角型電池と接着される第１面と、当該第１面と対向する面であるとともに前記被接合体と接着される第２面と、前記第１面と前記第２面との対向方向に延在する複数の第３面とを有し、
前記複数の第３面のうち少なくとも一部には、前記第３面と前記第１面との間及び前記第３面と前記第２面との間の少なくとも一方に切欠部が形成されていることを特徴とする電池モジュール。
【請求項２】
前記角型電池を保持する電池ホルダを備え、
前記電池ホルダには、前記切欠部と連通する開口部が設けられていることを特徴とする請求項１に記載の電池モジュール。
【発明の詳細な説明】
【技術分野】
【０００１】
本発明は、接着シートによって角型電池と被接合体とを接着した電池モジュールに関する。
【背景技術】
【０００２】
電池セルを接着剤で接着した電池モジュールは、例えば、特許文献１に記載されている。特許文献１では、電池セル間に熱伝導部材が設けられており、熱伝導部材によって電池セルが接着されている。
【先行技術文献】
【特許文献】
【０００３】
【特許文献１】特開２０１１−１０８６１７号公報
【発明の概要】
【発明が解決しようとする課題】
【０００４】
ところで、複数の電池セルを熱伝導部材で接着していきモジュール化するときに、例えば、電池セルの表面に生じたバリが熱伝導部材を突き破ると、隣り合う電池セルの絶縁性が確保できなくなる。また、電池セル同士に位置ずれが生じた状態で電池セルが接着されると、電池モジュールの大型化や、放熱性の低下などを招くおそれがある。このような場合、一度接着した電池セル同士の間に治具を挿入し、電池セル同士を分離する必要があるが、電池セル同士の間に設けられた熱伝導部材が治具の挿入を妨げ、電池セル同士の間に治具を挿入しにくい。
【０００５】
本発明の目的は、角型電池と被接合体との間に容易に治具を挿入することができる電池モジュールを提供することにある。
【課題を解決するための手段】
【０００６】
上記課題を解決する電池モジュールは、角型電池と、前記角型電池と接着される被接合体と、前記角型電池と前記被接合体とを接着する接着シートとを備えた電池モジュールであって、前記接着シートは、前記角型電池と接着される第１面と、当該第１面と対向する面であるとともに前記被接合体と接着される第２面と、前記第１面と前記第２面との対向方向に延在する複数の第３面とを有し、前記複数の第３面のうち少なくとも一部には、前記第３面と前記第１面との間及び前記第３面と前記第２面との間の少なくとも一方に切欠部が形成されていることを要旨とする。
【０００７】
これによれば、接着シートに設けられた切欠部によって角型電池と接着シートの間若しくは被接合体と接着シートの間に治具を挿入しやすくなる。このため、角型電池と被接合体とを治具によって容易に分離することができる。
【０００８】
上記電池モジュールについて、前記角型電池を保持する電池ホルダを備え、前記電池ホルダには、前記切欠部と連通する開口部が設けられていることが好ましい。
これによれば、角型電池が電池ホルダに保持されていても、電池ホルダの開口部から切欠部に治具を挿入できるため、角型電池と被接合体との分離が容易に行われる。
【発明の効果】
【０００９】
本発明によれば、角型電池と被接合体との間に容易に治具を挿入することができる。
【図面の簡単な説明】
【００１０】
【図１】実施形態における電池モジュールを示す斜視図。
【図２】実施形態における角型電池、伝熱プレート、電池ホルダ及び接着シートを示す分解斜視図。
【図３】実施形態における電池モジュールを示す図１の３−３線断面図。
【図４】実施形態における電池モジュールの一部を拡大して示す断面図。
【図５】実施形態における電池モジュールの作用を示す図。
【発明を実施するための形態】
【００１１】
以下、電池モジュールの一実施形態について説明する。
図１及び図２に示すように、電池モジュール１１は、電池ホルダ２０に保持された角型電池３１と伝熱プレート４１が複数並設されている。角型電池３１と、伝熱プレート４１は、交互に並設されている。電池モジュール１１において角型電池３１の並設方向の両端には、エンドプレート１２が設けられている。両エンドプレート１２には、ボルトＢ１が挿通されており、一方のエンドプレート１２から挿通されたボルトＢ１が他方のエンドプレート１２を挿通した位置でナットＮ１に螺合されている。
【００１２】
電池ホルダ２０は、矩形平板状の第１の被覆部２１を有している。第１の被覆部２１の長手方向両端には、第１の被覆部２１の厚み方向に延びる矩形平板状の第２の被覆部２２及び第３の被覆部２３が設けられている。第２の被覆部２２には、短手方向第１端部２２ｂから第２の被覆部２２の短手方向に向けて切り欠かれた開口部２９が形成されている。開口部２９は、矩形状をなしており、第２の被覆部２２の厚み方向に貫通している。第１の被覆部２１、第２の被覆部２２、第３の被覆部２３に囲まれる領域は、角型電池３１が収容される収容部Ｓとなる。
【００１３】
第２の被覆部２２の長手方向第１端部２２ａ（第１の被覆部２１が設けられる端部とは反対側の端部）と、第３の被覆部２３の長手方向第１端部２３ａ（第１の被覆部２１が設けられる端部とは反対側の端部）には、各被覆部２２，２３の短手方向第１端部２２ｂ、２３ｂの間で延びる矩形平板状の第４の被覆部２４が設けられている。第４の被覆部２４は、厚み方向が被覆部２２，２３の短手方向と一致し、長手方向が第２の被覆部２２と第３の被覆部２３の対向方向に一致する。そして、第４の被覆部２４の厚み方向及び長手方向に直交する方向が、第４の被覆部２４の短手方向となる。
【００１４】
また、第４の被覆部２４の長手方向両端における第４の被覆部２４の短手方向の一端面上には、Ｕ字状をなすとともに、第４の被覆部２４の厚み方向に開口する端子収容部２５がそれぞれ設けられており、各端子収容部２５は、第２の被覆部２２及び第３の被覆部２３に連設されている。
【００１５】
第４の被覆部２４の短手方向の一端面上には、端子収容部２５と隣り合って四角柱状の柱部材２６が設けられている。柱部材２６の軸は、被覆部２２，２３の短手方向に延びている。柱部材２６には、ボルトＢ１が挿通される挿通孔２６ａが柱部材２６の軸方向に貫通して設けられている。
【００１６】
第２の被覆部２２及び第３の被覆部２３の長手方向第１端部２２ａ，２３ａには、各被覆部２２，２３と連設され、各被覆部２２，２３の長手方向に延びる矩形平板状の突出部２７が設けられている。また、第２の被覆部２２及び第３の被覆部２３の長手方向第２端部２２ｃ、２３ｃには、四角柱状の脚部２８が設けられている。脚部２８の軸は、被覆部２２，２３の短手方向に延びている。脚部２８には、ボルトＢ１が挿通される挿通孔２８ａが脚部２８の軸方向に貫通して設けられている。
【００１７】
伝熱プレート４１は、金属製の板材をＬ字状に屈曲させることで形成されている。伝熱プレート４１は、矩形平板状の本体４２と、本体４２の長手方向一端から本体４２の厚み方向に延びる屈曲部４３を有している。
【００１８】
角型電池３１は、ケース３２を有し、ケース３２には正負の電極を有する電極組立体３３が収容されている。ケース３２は、有底四角筒状のケース本体３４の開放部を蓋部材３５で閉塞することで構成されている。ケース本体３４は、矩形板状の底部から４つの矩形板状の側壁が立設することで構成されている。詳述すると、底部の短手方向両端から一対の第１電池面３６が立設し、底部の長手方向両端から一対の第２電池面３８が立設している。第１電池面３６は第２電池面３８よりも広い面積を有する。
【００１９】
図３及び図４に示すように、伝熱プレート４１の本体４２は、角型電池３１の第１電池面３６（角型電池３１における角型電池３１の並設方向と交わる面）に隣り合った状態で配置されている。屈曲部４３は、第３の被覆部２３における第３の被覆部２３の厚み方向と交わる面のうち収容部Ｓとは反対側の面を覆っている。
【００２０】
角型電池３１と伝熱プレート４１は交互に並設されており、隣り合う角型電池３１と被接合体としての伝熱プレート４１は、接着シート５１で接着されている。
図２に示すように、接着シート５１は、矩形平板状のシートからなり、両短辺の中央付近にそれぞれ切欠部５２が設けられている。詳述すると、接着シート５１は、第１面５３と、第１面５３と対向する第２面５４を有している。第１面５３と、第２面５４は、接着シート５１の厚さ方向の面である。また、接着シート５１は、第１面５３と第２面５４との対向方向に延在する第３面５５を有している。第３面５５は、４つ設けられている。４つの第３面５５のうち、接着シート５１の長手方向に位置する２つの第３面５５には、切欠部５２が設けられている。切欠部５２は、第３面５５と、第１面５３との間に設けられている。接着シート５１は、第１面５３が角型電池３１の第１電池面３６と接着され、第２面５４が伝熱プレート４１に接着されている。接着シート５１は、長手方向の寸法が、角型電池３１の第１電池面３６の長手方向（単一の角型電池３１における正極と負極の並設方向）の寸法と同一となっている。
【００２１】
図３及び図４に示すように、角型電池３１及び伝熱プレート４１は、電池ホルダ２０に保持された状態で並設されている。電池ホルダ２０に保持された角型電池３１及び伝熱プレート４１を並設していくと、隣り合う電池ホルダ２０の第２の被覆部２２の短手方向と交わる面同士及び第３の被覆部２３の短手方向と交わる面同士が、それぞれ対向し合う。すなわち、第２の被覆部２２及び第３の被覆部２３の短手方向と、角型電池３１の並設方向は同一方向となる。角型電池３１は、二つの第２電池面３８の一方が第２の被覆部２２で覆われ、他方が第３の被覆部２３で覆われる。また、第２の被覆部２２は、角型電池３１及び接着シート５１の第３面５５の一部分と対向している。そして、第２の被覆部２２に設けられた開口部２９は、切欠部５２と連通している。
【００２２】
第２の被覆部２２には、第２の被覆部２２の短手方向に切り欠かれた開口部２９が設けられていることから、電池ホルダ２０の第２の被覆部２２に形成された開口部２９と、隣り合う電池ホルダ２０の第２の被覆部２２に囲まれる領域に、挿入部６０が形成される。この開口部２９は、第２の被覆部２２における角型電池３１と対向する領域から、第２の被覆部２２における接着シート５１の第３面５５に対向する領域に亘って設けられている。
【００２３】
次に、本実施形態の電池モジュール１１の作用について説明する。
図５に示すように、角型電池３１と伝熱プレート４１とを分離する際には、角型電池３１と伝熱プレート４１との間に治具７１を挿入し、治具７１を角型電池３１の並設方向に傾けることで、角型電池３１と伝熱プレート４１を分離する。
【００２４】
このとき、接着シート５１に設けられた切欠部５２に治具７１を挿入することで、角型電池３１と伝熱プレート４１との間に治具７１を挿入することができる。切欠部５２が設けられていない場合には、角型電池３１と伝熱プレート４１との間の接着シート５１を押込みながら治具７１を挿入する必要があるが、切欠部５２を設けることで、角型電池３１と伝熱プレート４１との間に容易に治具７１を挿入することができる。
【００２５】
また、電池ホルダ２０に開口部２９を設けて、この開口部２９によって治具７１の挿入部６０を形成している。このため、角型電池３１及び伝熱プレート４１が電池ホルダ２０に保持された状態で並設されていても、挿入部６０を介して角型電池３１と伝熱プレート４１との間に治具７１を挿入することができる。
【００２６】
なお、角型電池３１と伝熱プレート４１との間に挿入される治具７１としては、角型電池３１と伝熱プレート４１との間に挿入されやすいように構成された治具７１が用いられ、例えば、先端が鋭角状をなした治具が用いられる。また、治具７１は、挿入部６０に挿入できる程度の大きさの治具が用いられる。
【００２７】
したがって、上記実施形態によれば、以下のような効果を得ることができる。
（１）接着シート５１には、第３面５５と第１面５３との間に切欠部５２が設けられている。このため、切欠部５２に治具７１を挿入することで、角型電池３１と伝熱プレート４１との間に容易に治具７１を挿入することができる。したがって、角型電池３１と伝熱プレート４１を容易に分離することができる。
【００２８】
（２）電池ホルダ２０に切欠部５２と連通する開口部２９を設けて、この開口部２９によって、隣り合う電池ホルダ２０に治具７１の挿入部６０を形成している。このため、電池ホルダ２０に角型電池３１及び伝熱プレート４１が保持されていても、切欠部５２に治具７１を挿入することができ、容易に角型電池３１と伝熱プレート４１とを分離することができる。
【００２９】
（３）開口部２９は、角型電池３１と伝熱プレート４１との間の領域に対向しているため、治具７１を挿入部６０に挿入すると、角型電池３１と伝熱プレート４１との間に治具７１を容易に挿入することができる。
【００３０】
なお、実施形態は、以下のように変更してもよい。
○角型電池３１は、電池ホルダ２０に保持されていなくてもよい。
○接着シート５１の長手方向両端の第３面５５に切欠部５２を設けたが、長手方向の一方の第３面５５にのみ切欠部５２を設けてもよい。なお、角型電池３１が電池ホルダ２０に保持される場合には、挿入部６０が設けられる方向と同一方向の第３面５５に切欠部５２を形成する。
【００３１】
○開口部２９は、角型電池３１と伝熱プレート４１との間の領域に対向していなくてもよい。この場合、挿入部６０から挿入した治具７１を角型電池３１の並設方向に傾けて、角型電池３１と伝熱プレート４１との間に治具７１を挿入する。
【００３２】
○実施形態では、全ての電池ホルダ２０に開口部２９を設けたが、少なくとも一つの電池ホルダ２０が開口部２９を有していればよい。例えば、開口部２９が設けられた電池ホルダ２０と、開口部２９が設けられていない電池ホルダ２０を交互に設けてもよい。この場合であっても、開口部２９が設けられた電池ホルダ２０に保持された角型電池３１と伝熱プレート４１を容易に分離することができる。
【００３３】
○第２の被覆部２２の短手方向第１端部２２ｂにのみ開口部２９を設けたが、第２の被覆部２２の短手方向第１端部２２ｂとは反対側の短手方向第２端部２２ｄにも開口部を設けてもよい。この場合、電池ホルダ２０の第２の被覆部２２の短手方向第１端部２２ｂの開口部２９と、この電池ホルダ２０に隣り合う電池ホルダ２０の第２の被覆部２２の短手方向第２端部２２ｄの開口部によって治具７１の挿入部６０が形成される。また、第２の被覆部２２の短手方向第２端部２２ｄにのみ開口部２９を設けてもよい。すなわち、角型電池３１の両第１電池面３６に接着される接着シート５１のうち、少なくともいずれか一方の接着シート５１に対応して開口部２９が設けられていればよい。
【００３４】
○被接合体として、角型電池３１を用いてもよい。すなわち、角型電池３１同士を接着シートによって接着した電池モジュールであってもよい。また、被接合体として、伝熱プレート４１や、角型電池３１以外のものを用いてもよい。
【００３５】
○角型電池３１としては、リチウムイオン二次電池や、ニッケル水素蓄電池などの二次電池など、どのような電池が採用されてもよい。
○第２の被覆部２２に設けられた開口部２９は、第２の被覆部２２の短手方向の中央に設けられ、第２の被覆部２２を貫通する孔であってもよい。
【００３６】
○切欠部５２は、少なくもと一つの第３面５５に設けられていればよく、全ての第３面５５に設けられていてもよい。
○切欠部５２は第３面５５と第１面５３との間及び第３面５５と第２面５４との間のいずれか一方にのみ形成されていてもよい。
【００３７】
○接着シート５１の形状は、多角形状など、第１面５３、第２面５４及び第３面５５を有していればどのような形状であってもよい。
○接着シート５１は、長手方向の寸法が、角型電池３１の第１電池面３６の長手方向（単一の角型電池３１における正極と負極の並設方向）の寸法よりも長くてもよいし、短くてもよい。
【００３８】
○切欠部５２は、第３面５５と、第２面５４との間に設けられていてもよいし、第３面５５と第１面５３との間及び第３面５５と第２面５４との間の両方に設けられていてもよい。また、第３面５５と第１面５３との間に設けられた切欠部５２と、第３面５５と第２面５４との間に設けられた切欠部５２とが連通されていてもよい。
【符号の説明】
【００３９】
１１…電池モジュール、２０…電池ホルダ、２９…開口部、３１…角型電池、４１…伝熱プレート、５１…接着シート、５２…切欠部、５３…第１面、５４…第２面、５５…第３面、７１…治具。
【図１】
2015162390.tif 000003
【図２】
2015162390.tif 000004
【図３】
2015162390.tif 000005
【図４】
2015162390.tif 000006
【図５】
2015162390.tif 000007